【手続補正書】
【提出日】平成27年8月6日(2015.8.6)
【手続補正１】
【補正対象書類名】特許請求の範囲
【補正対象項目名】全文
【補正方法】変更
【補正の内容】
【特許請求の範囲】
【請求項１】
フォーカスレンズを介して得られた被写体像を電気信号に変換し画像を取得する撮像手段と、
前記撮像手段の出力信号に基づいて生成された焦点評価値に基づいてフォーカスレンズを移動させて焦点調節を行う焦点調節手段と、
前記焦点調節手段によって得られた被写体の距離情報に応じて、予め決められた所定の処理を実施するか否かを判断する実施判断手段と、
前記実施判断手段の判断の結果に応じて、前記所定の処理を実施する処理手段とを有し、
前記焦点調節手段は、前記実施判断手段により前記所定の処理を実施すると判断された場合は、シーン変化に応じて、前に取得された前記焦点評価値に基づいて前記フォーカスレンズの移動量および移動方向の少なくとも一つを決定しながら前記焦点評価値を取得して焦点調節を行う第１の焦点調節動作と、予め決められた焦点検出範囲において前記フォーカスレンズを移動させて前記焦点評価値を取得して焦点調節を行う第２の焦点調節動作とを行い、前記所定の処理を実施しないと判断された場合は、シーン変化によらず前記第１の焦点調節動作を行うことを特徴とする焦点調節装置。
【請求項２】
前記実施判断手段は、予め決められた所定の距離よりも近側まで焦点調節を行う光学ズーム倍率であれば、前記所定の処理を実施すると判断することを特徴とする請求項１に記載の焦点調節装置。
【請求項３】
前記処理手段は、前記焦点調節手段により得られた被写体の距離情報が予め決められた所定の距離よりも近側であった場合は、撮影シーンがマクロシーンであると判定し、前記撮像手段によって得られた被写体の画像を表示する表示部にシーンを示すアイコンの表示を行うことを特徴とする請求項１または２に記載の焦点調節装置。
【請求項４】
前記実施判断手段は、被写体の色情報を取得する色情報取得手段を備え、被写体の距離情報および色情報に応じて撮影シーンを判定するモードに設定された場合に、前記所定の処理を実施すると判断することを特徴とする請求項１に記載の焦点調節装置。
【請求項５】
前記処理手段は、前記焦点調節手段により得られた被写体の距離情報および色情報に応じてシーンを判定できた場合に、表示手段にシーンを示すアイコンの表示を行うとともに、前記表示手段に表示する前記撮像手段により得られた画像について所定の色を強調した画像処理を行うことを特徴とする請求項１または４に記載の焦点調節装置。
【請求項６】
前記実施判断手段は、予め決められた所定値よりも絞りが開放になる光学ズーム倍率であれば、前記所定の処理を実施すると判断することを特徴とする請求項１に記載の焦点調節装置。
【請求項７】
前記処理手段は、前記焦点調節手段により得られた被写体の距離分布に応じて、絞りを再設定することを特徴とする請求項１または６に記載の焦点調節装置。
【請求項８】
前記実施判断手段は、画面内の距離分布に基づいてシーンを判定するモードに設定された場合は、前記所定の処理を実施すると判断することを特徴とする請求項１に記載の焦点調節装置。
【請求項９】
前記処理手段は、表示部に表示する前記撮像手段により得られた画像にぼかし処理を施すぼかし手段を有し、前記焦点調節手段により画面内の距離の分布に応じて被写体と背景が区別できた場合に、前記ぼかし手段により背景領域にぼかし処理を施すことを特徴とする請求項１または８に記載の焦点調節装置。
【請求項１０】
シーンの状態の変化量を検出して、変化量が所定以上であればシーン変化を検出したと判断するシーン検出手段を更に有し、
前記シーン検出手段は、表示部に前記撮像手段により得られた画像を表示しない場合は、シーン変化量が予め決められた第１の閾値よりも大きければシーン変化したと判定し、前記表示部に画像を表示する場合はシーン変化を検出する閾値を第１の閾値よりも小さい第２の閾値に設定することを特徴とする請求項１に記載の焦点調節装置。
【請求項１１】
シーンの状態の変化量を検出して、変化量が所定以上であればシーン変化を検出したと判断するシーン検出手段を更に有し、
前記シーン検出手段は、前記第２の焦点調節動作において前記フォーカスレンズを移動させる範囲が予め決められた所定の範囲よりも狭い場合は、シーン変化量が予め決められた第３の閾値よりも大きければシーン変化したと判定し、フォーカスレンズを移動させる範囲の全体が予め決められた所定の範囲よりも広い場合は、シーン変化を検出する閾値を第３の閾値よりも大きい第４の閾値を設定することを特徴とする請求項１に記載の焦点調節装置。
【請求項１２】
シーンの状態の変化量を検出して、変化量が所定以上であればシーン変化を検出したと判断するシーン検出手段を更に有し、
前記シーン検出手段は、前記第２の焦点調節動作において前記フォーカスレンズを移動させる際の前記撮像手段の駆動レートが予め決められた所定値よりも速い場合はシーン変化量が予め決められた第５の閾値よりも大きければシーン変化したと判定し、駆動レートが予め決められた所定値よりも遅い場合は、シーン変化を検出する閾値として第５の閾値よりも大きい第６の閾値を設定することを特徴とする請求項１に記載の焦点調節装置。
【請求項１３】
フォーカスレンズを介して得られた被写体像を電気信号に変換し画像を取得する撮像手段を有する焦点調節装置の制御方法であって、
前記撮像手段の出力信号に基づいて生成された焦点評価値に基づいてフォーカスレンズを移動させて焦点調節を行う焦点調節ステップと、
前記焦点調節ステップによって焦点検出できた被写体の距離情報に応じて、予め決められた所定の処理を実施するか否かを判断する実施判断ステップと、
前記実施判断ステップの判断の結果に応じて、前記所定の処理を実施する処理手段とを有し、
前記焦点調節ステップでは、前記実施判断ステップにより前記所定の処理を実施すると判断された場合は、シーン変化に応じて、前に取得された前記焦点評価値に基づいて前記フォーカスレンズの移動量および移動方向の少なくとも一つを決定しながら前記焦点評価値を取得して焦点調節を行う第１の焦点調節動作と、予め決められた焦点検出範囲において前記フォーカスレンズを移動させて前記焦点評価値を取得して焦点調節を行う第２の焦点調節動作とを行い、前記所定の処理を実施しないと判断された場合は、シーン変化によらず前記第１の焦点調節動作を行うことを特徴とする焦点調節装置の制御方法。
【手続補正２】
【補正対象書類名】明細書
【補正対象項目名】０００６
【補正方法】変更
【補正の内容】
【０００６】
上記目的を達成するために、本発明の技術的特徴としては、フォーカスレンズを介して得られた被写体像を電気信号に変換し画像を取得する撮像手段を有する焦点調節装置の制御方法であって、
前記撮像手段の出力信号に基づいて生成された焦点評価値に基づいてフォーカスレンズを移動させて焦点調節を行う焦点調節ステップと、
前記焦点調節ステップによって焦点検出できた被写体の距離情報に応じて、予め決められた所定の処理を実施するか否かを判断する実施判断ステップと、
前記実施判断ステップの判断の結果に応じて、前記所定の処理を実施する処理手段とを有し、
前記焦点調節ステップでは、前記実施判断ステップにより前記所定の処理を実施すると判断された場合は、シーン変化に応じて、前に取得された前記焦点評価値に基づいて前記フォーカスレンズの移動量および移動方向の少なくとも一つを決定しながら前記焦点評価値を取得して焦点調節を行う第１の焦点調節動作と、予め決められた焦点検出範囲において前記フォーカスレンズを移動させて前記焦点評価値を取得して焦点調節を行う第２の焦点調節動作とを行い、前記所定の処理を実施しないと判断された場合は、シーン変化によらず前記第１の焦点調節動作を行うことを特徴とする。